(57)【要約】【課題】  複数の動画映像を表示部に表示可能な電子機器を提供する。【解決手段】  主処理部８０はデジタルチューナ４で受信したストリームデータと予めＨＤＤ９にデジタルチューナ４を介して取込んだストリームデータとを複数の副処理部８１乃至８８に処理するように割当てる。副処理部８１乃至８８にて処理されることで生成された映像信号は、主処理部８０によってグラフィックコントローラ５に出力され、グラフィックコントローラ５はＬＣＤ７の複数の表示部に複数の番組を表示する。【選択図】  図３
2005347807.tif 000002
【特許請求の範囲】
【請求項１】
表示画面に第１の表示部および第２の表示部を有する電子機器において、
放送番組を受信する受信部と、
前記受信部にて受信された前記放送番組を記憶する記憶部と、
前記受信部にて受信された放送番組および前記記憶部に記憶されている放送番組を処理する第１の処理部と、
前記第１の処理部における処理結果を受信し、前記処理結果に基いて、前記第１の表示部に表示される第１の映像データおよび前記第２の表示部に表示される第２の映像データを生成する第２の処理部と、
前記第２の処理部にて生成された前記第１の映像データと前記第２の映像データとを夫々前記第１の表示部および前記第２の表示部に表示させる制御部と、
を具備することを特徴とする電子機器。
【請求項２】
前記第２の処理部は、前記受信部にて受信された放送番組および前記記憶部に記憶されている放送番組を前記第１の処理部にタスクとして割当てることを特徴とする請求項１記載の電子機器。
【請求項３】
前記第１の処理部の個数は複数個であり、夫々が前記第２の処理部に接続されていることを特徴とする請求項１記載の電子機器。
【請求項４】
前記第１の処理部と前記第２の処理部とは１チップで形成されていることを特徴とする請求項１記載の電子機器。
【請求項５】
ＥＰＧを取り込む手段と、
前記第２の処理部は前記取り込み手段によって取り込まれたＥＰＧにもとづいて、前記受信部によって受信される放送番組を選択する手段と、
前記第２の処理部は前記選択手段によって選択された放送番組を前記記憶部に記憶することを特徴とする請求項１記載の電子機器。
【請求項６】
前記第２の処理部は、前記放送番組の切替え要求に基いて、前記記憶部に記憶されている放送番組の中から、前記切替え要求先の放送番組とは異なる放送番組を前記第１の処理部にタスクとして割当てることを特徴とする請求項２記載の電子機器。
【請求項７】
表示画面に第１の表示部および第２の表示部を有する電子機器にて実行されるデータ処理方法において、
放送番組を受信部で受信し、
前記受信された前記放送番組を記憶部に記憶し、
前記受信部にて受信された放送番組および前記記憶部に記憶されている放送番組を第１の処理部で処理し、
前記第１の処理部における処理結果を受信し、前記処理結果に基いて、前記第１の表示部に表示される第１の映像データおよび前記第２の表示部に表示される第２の映像データを第２の処理部で生成し、
前記第２の処理部にて生成された前記第１の映像データと前記第２の映像データとを夫々前記第１の表示部および前記第２の表示部に表示させることを特徴とするデータ処理方法。
【請求項８】
前記第２の処理部は、前記受信部にて受信された放送番組および前記記憶部に記憶されている放送番組を前記第１の処理部にタスクとして割当てることを特徴とする請求項７記載のデータ処理方法。
【請求項９】
ＥＰＧを取り込む、
前記第２の処理部は前記取り込まれたＥＰＧにもとづいて、前記受信部によって受信される放送番組を選択し、
前記第２の処理部は前記選択された放送番組を前記記憶部に記憶することを特徴とする請求項７記載のデータ処理方法。
【請求項１０】
前記第２の処理部は、前記放送番組の切替え要求に基いて、前記記憶部に記憶されている放送番組の中から、前記切替え要求先の放送番組とは異なる放送番組を前記第１の処理部にタスクとして割当てることを特徴とする請求項８記載のデータ処理方法。
【発明の詳細な説明】
【技術分野】
【０００１】
本発明は、複数の映像を表示部に表示可能な電子機器に関し、特に、複数の動画映像を表示部に表示可能な電子機器および該電子機器にて実行されるデータ処理方法に関する。
【背景技術】
【０００２】
従来、デジタル放送時代の到来に向けて、膨大な量のコンテンツに対応するために、画像圧縮化技術や光ディスクや磁気ディスクといった記憶媒体の大容量化に関する技術に対する開発が積極的に進められている。
【０００３】
また、多チャンネル化に伴った膨大な種類のコンテンツに対応するために、異なる複数種の放送方式で放送された番組を受信するデジタルテレビ放送受信装置において、前記番組の放送方式を特定する特定手段と、複数の前記番組の静止画を、前記特定手段により特定された放送方式を示す情報と対応させて一覧表示する表示手段とを備えた技術があった（特許文献１参照。）。
【特許文献１】特開２００３−２８３９３７号公報（第６頁、第４図）
【発明の開示】
【発明が解決しようとする課題】
【０００４】
しかしながら、上述の特許文献１に開示されている技術は、複数の番組を放送方式とともに静止画で表示するという内容であり、複数の番組の動画映像を同時に視聴したいというユーザのニーズを満たすものではない。
【０００５】
そこで、本発明は複数の動画映像を表示部に表示可能な電子機器および該電子機器にて実行されるデータ処理方法を提供することを目的とする。
【課題を解決するための手段】
【０００６】
上記目的を達成するために、請求項１に係る発明では、表示画面に第１の表示部および第２の表示部を有する電子機器において、放送番組を受信する受信部と、受信部にて受信された放送番組を記憶する記憶部と、受信部にて受信された放送番組および記憶部に記憶されている放送番組を処理する第１の処理部と、第１の処理部における処理結果を受信し、処理結果に基いて、第１の表示部に表示される第１の映像データおよび第２の表示部に表示される第２の映像データを生成する第２の処理部と、第２の処理部にて生成された第１の映像データと第２の映像データとを夫々第１の表示部および第２の表示部に表示させる制御部とを具備することを特徴とする。
【０００７】
また、請求項７に係る発明では、表示画面に第１の表示部および第２の表示部を有する電子機器にて実行されるデータ処理方法において、放送番組を受信部で受信し、受信された放送番組を記憶部に記憶し、受信部にて受信された放送番組および記憶部に記憶されている放送番組を第１の処理部で処理し、第１の処理部における処理結果を受信し、処理結果に基いて、第１の表示部に表示される第１の映像データおよび第２の表示部に表示される第２の映像データを第２の処理部で生成し、第２の処理部にて生成された第１の映像データと第２の映像データとを夫々第１の表示部および第２の表示部に表示させることを特徴とする。
【発明の効果】
【０００８】
本発明によれば、複数の動画映像を表示部に表示可能な電子機器を提供することが可能である。
【発明を実施するための最良の形態】
【０００９】
以下本発明に係る実施の形態を、図面を参照して説明する。本発明に係る電子機器をデジタルＴＶに適用して説明する。
【００１０】
図１は、本発明に係るデジタルＴＶの概観図である。
【００１１】
デジタルＴＶ１の表示装置である例えばＬＣＤ７には、図１の（ａ）に示すとおり、例えば９つの表示部７１乃至７９が表示される。９つの表示部７１乃至７９には、例えば夫々別チャネルの番組内容が動画映像で表示される。ここで、この表示の仕方をマルチ表示モードと称す。
【００１２】
一方、図１の（ｂ）に示すとおり、例えばデジタルチューナにて受信されたストリームデータをＬＣＤ７に設けられる１つの表示部７１に表示させる場合を単独表示モードと称す。単独表示モードおよびマルチ表示モードの切替えは、例えばユーザのリモコン操作等によって行われる。次に、デジタルＴＶのシステム構成について説明する。
【００１３】
図２は、本発明に係るデジタルＴＶのシステム構成を示すブロック図である。
【００１４】
処理部８には、ブリッジ回路２およびメモリ３が接続される。
【００１５】
処理部１は主処理部８０および副処理部８１乃至８８から構成される。また、処理部１は例えば１チップで形成される。副処理部８１乃至８８の夫々は主処理部８０に接続される。副処理部８１乃至８８はデータ処理を行う。一方、主処理部８０は副処理部８１乃至８８に対するタスク割当て管理、副処理部８１乃至８８にて行われるデータ処理といったタスクの管理等を行う。
【００１６】
メモリ３は主処理部８０および副処理部８１乃至８８にて諸処理を実行する際に使用される。
【００１７】
ブリッジ回路２にはデジタルチューナ４、ＨＤＤ（記憶部）９およびグラフィックコントローラ（Ｇｆｘ）５が接続される。
【００１８】
受信部であるデジタルチューナ４はデジタル放送に係る放送信号を受信する。例えばＭＰＥＧ２、ＭＰＥＧ４といったＭＰＥＧ形式でエンコードされたストリームデータを受信する。
【００１９】
ＨＤＤ９にはデジタルチューナ４にて受信されたストリームデータが記憶される。
【００２０】
グラフィックコントローラ５には、ビデオメモリであるＶＲＡＭ６およびＬＣＤ７が接続される。グラフィックコントローラ５はＬＣＤ７にデジタル表示信号を出力する。グラフィクスコントローラ５はＶＲＡＭ６と接続されており、ＯＳ／アプリケーションプログラムによってＶＲＡＭ６に描画されたデータをＬＣＤ７に出力する。
【００２１】
さて、本発明の実施形態では、デジタルＴＶ１の電源オン時において、デジタルチューナ４にて受信されたストリームデータに対して適切な処理がなされた後にＬＣＤ７に出力されていない場合、主処理部８０がデジタルチューナ４にて受信されたストリームデータをＨＤＤ９に記憶させる。
【００２２】
この際、主処理部８０は、デジタルチューナ４にて受信された放送信号の周波数帯からチャネル群に係る夫々の周波数を抽出するよう制御し、さらに、抽出された夫々の周波数を有するチャネル群に対応するストリームデータ群をＨＤＤ９に記憶させる。例えば、主処理部８０は１ｃｈに対応するストリームデータ、２ｃｈに対応するストリームデータ…といった具合に、ＨＤＤ９にこれらのストリームデータを記憶させる。次に、ＬＣＤ７に設けられるマルチ表示モードおよび単独表示モードにおける番組内容の表示のさせ方について説明する。
【００２３】
図３および図４は、夫々、本発明に係るマルチ表示モードに関する制御について説明した第１および第２のフローチャートである。
【００２４】
主処理部８０は、現在の表示モードが単独表示モードであるかマルチ表示モードであるかを判断する（ステップ  Ｓ１０１）。主処理部８０が現在の表示モードがマルチ表示モードであると判断した場合（ステップ  Ｓ１０１  Ｙｅｓ）、主処理部８０はデジタルチューナ４にて受信されたストリームデータを、副処理部８１乃至８８の何れかの副処理部に処理させる（ステップ  Ｓ１０２）。すなわち、主処理部８０はデジタルチューナ４にて受信されたストリームデータの処理タスクを副処理部に対して割り当てる。
【００２５】
主処理部８０からデジタルチューナ４にて受信されたストリームデータの処理タスクを割当てられた副処理部は、デジタルチューナ４にて受信されたストリームデータの処理（例えば、ソフトウェアによるデコード処理等）を開始する（ステップ  Ｓ１０３）。
【００２６】
次に、主処理部８０はＨＤＤ９に記憶されているストリームデータを、副処理部８１乃至８８の何れかの副処理部に処理させる（ステップ  Ｓ１０４）。すなわち、主処理部８０はＨＤＤ９に記憶されているストリームデータの処理タスクを副処理部に対して割当てる。
【００２７】
ここで、主処理部８０は、ＨＤＤ９に記憶されているストリームデータ群の中で、ＬＣＤ７に設けられる表示部に表示させたいストリームデータ群を、副処理部に処理させる。例えば、１ｃｈに対応するストリームデータ乃至５ｃｈに対応するストリームデータの５つのストリームデータ群をＬＣＤ７に設けられる５つの表示部に夫々表示させたい場合、主処理部８０はこれらのストリームデータ群を副処理部群に処理させる。
【００２８】
また、主処理部８０は、ＨＤＤ９に記憶されているストリームデータ群の中からＬＣＤ７に設けられる表示部に表示させたいストリームデータ群を選択する際、デジタルチューナ４を用いて受信しているストリームデータのチャネルと異なるチャネルであるストリームデータ群を選択する。
【００２９】
ストリームデータの処理タスクの副処理部に対する割当て方として、主処理部８０は１つのストリームデータを必ずしも１つの副処理部に割当てる必要はない。例えば、１つのストリームデータ量が小さい場合、１つの副処理部が複数個のストリームデータを処理してもよい。
【００３０】
主処理部８０からＨＤＤ９に記憶されているストリームデータの処理タスクを割当てられた副処理部は、ＨＤＤ９に記憶されているストリームデータの処理（例えば、ソフトウェアによるデコード処理等）を開始する（ステップ  Ｓ１０５）。
【００３１】
副処理部による、デジタルチューナ４にて受信されたストリームデータの処理によって生成された映像信号およびＨＤＤ９に記憶されているストリームデータの処理によって生成された映像信号は、主処理部８０によって管理される。
【００３２】
主処理部８０はこれらの映像信号をまとめ、グラフィックコントローラ５に出力する（ステップ  Ｓ１０６）。
【００３３】
グラフィックコントローラ５は、主処理部８０にて纏められた映像信号から表示信号を生成し、ＬＣＤに複数の番組が表示される表示部を有する画面を表示させる。
【００３４】
例えばユーザによるリモコン操作により、主処理部８０が単独表示モードおよびマルチ表示モードの停止要求を受けた場合、本処理は終了する（ステップ  Ｓ１０７  Ｎｏ）。マルチ表示モードを継続する場合（ステップ  Ｓ１０７  Ｙｅｓ）、ステップＳ１０２の処理が行われる。
【００３５】
さて、マルチ表示モードではなく（ステップ  Ｓ１０１  Ｎｏ）単独表示モードである場合（ステップ  Ｓ１０８  Ｙｅｓ）、主処理部８０はデジタルチューナ４にて受信されたストリームデータ、またはＨＤＤ９に記憶されているストリームデータ群の内の１つのストリームデータを、副処理部８１乃至８８の何れかの副処理部に処理させる（ステップ  Ｓ２０１）。
【００３６】
主処理部８０からデジタルチューナ４にて受信されたストリームデータの処理タスク、またはＨＤＤ９に記憶されているストリームデータ群の内の１つのストリームデータの処理タスクを割当てられた副処理部は、ストリームデータの処理（例えば、ソフトウェアによるデコード処理等）を開始する（ステップ  Ｓ２０２）。
【００３７】
副処理部による、ストリームデータの処理によって生成された映像信号は、主処理部８０によって管理される。主処理部８０は映像信号をグラフィックコントローラ５に出力する（ステップ  Ｓ２０３）。
【００３８】
グラフィックコントローラ５は、映像信号から表示信号を生成し、ＬＣＤ７に１つの番組が表示される表示部を有する画面を表示させる。
【００３９】
例えばユーザによるリモコン操作により、単独表示モードからマルチ表示モードへの切り替え要求を受けた場合（ステップ  Ｓ２０４  Ｎｏ）（ステップ  Ｓ２０５  Ｙｅｓ）、ステップＳ１０２の処理が行われる。単独表示モードを継続する場合（ステップ  Ｓ２０４  Ｙｅｓ）、ステップＳ２０１の処理が行われる。ユーザによるリモコン操作により、主処理部８０が単独表示モードおよびマルチ表示モードの停止要求を受けた場合、本処理は終了する（ステップ  Ｓ２０５  Ｎｏ）。次に、マルチ表示モードにおいてデジタルチューナ４にて受信するチャネルを切替える場合の制御について説明する。
【００４０】
図５は、マルチ表示モードにおいてデジタルチューナにて受信するチャネルを切替える場合の制御について説明したフローチャートである。
【００４１】
本発明に係るマルチ表示モードにおいて、例えばユーザのリモコン操作により、デジタルチューナにて受信されたチャネルを切替える場合、主処理部８０は以下に説明する処理を行う。
【００４２】
主処理部８０は、切替え先のチャネルの値を取得する（ステップ  Ｓ３０１）。主処理部８０はデジタルチューナ４に切替え先のチャネルに係るデータストリームを受信するように制御する（ステップ  Ｓ３０２）。
【００４３】
一方、主処理部８０はＨＤＤ９に記憶されているストリームデータ群のうち、切替え先のチャネルの値とは異なる値を有するチャネル群のストリームデータ群を、副処理部に割当てるタスクとして選択する（ステップ  Ｓ３０３）。
【００４４】
ステップＳ３０３以降の処理手順は、図３を用いて説明したステップ１０３以降の処理手順と同様であるので省略する。
【００４５】
なお、本発明に係る実施形態では、デジタルチューナが一つの場合を用いて説明したが、複数のデジタルチューナを搭載したデジタルＴＶであってもよい。例えば、２つのデジタルチューナを搭載し、マルチ表示モードとして２つの表示部をＬＣＤ７に設ける場合、予めデジタルチューナを用いてＨＤＤにチャネル毎のストリームデータ群を記憶させる必要がない。
【００４６】
また、デジタルチューナ４を用いて、予めチャネル毎のストリームデータ群をＨＤＤ９に記憶させる場合において、ＨＤＤ９に記憶対象となる各チャネルに対応するストリームデータを選択する際、ＥＰＧ（Ｅｌｅｃｔｒｉｃ  Ｐｒｏｇｒａｍ  Ｇｕｉｄｅ）を用いることが可能である。ＥＰＧを用いて、予めＨＤＤ９に記憶させたいストリームデータを指定し、主処理部８０がその指定内容に基いて、各番組が放送される時間帯に対応してデジタルチューナ４を介し各番組に対応するストリームデータ群を受信すればよい。
【００４７】
本発明によれば、マルチ表示モードにおいて、デジタルチューナ４を用いて予めＨＤＤ９に記憶させたチャネル毎のストリームデータ群とデジタルチューナ４を用いて受信しているデータストリームとを、複数の副処理部を用いて同時に処理し、副処理部が処理することで生成した映像信号を主処理部が纏めてグラフィックコントローラに出力するので、一つの処理部がシーケンシャルに複数のストリームデータを処理する場合と比較して、複数のストリームデータから生成された複数の番組の表示を表示部に表示するまでの時間が早くなる。
【００４８】
本発明は上記実施形態をそのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示されている全構成要素から幾つかの構成要素を削除してもよい。さらに、異なる実施形態にわたる構成要素を適宜組み合わせてもよい。
【図面の簡単な説明】
【００４９】
【図１】本発明に係るデジタルＴＶの概観図。
【図２】本発明に係るデジタルＴＶのシステム構成を示すブロック図。
【図３】本発明に係るマルチ表示モードに関する制御について説明した第１のフローチャート。
【図４】本発明に係るマルチ表示モードに関する制御について説明した第２のフローチャート。
【図５】マルチ表示モードにおいてデジタルチューナにて受信するチャネルを切替える場合の制御について説明したフローチャート。
【符号の説明】
【００５０】
１…デジタルＴＶ、２…ブリッジ回路、３…メモリ、４…デジタルチューナ、５…グラフィックコントローラ、６…ＶＲＡＭ、７…ＬＣＤ、
８…処理部、９…ＨＤＤ、８０…主処理部、８１〜８８…副処理部、
【図１】
2005347807.tif 000003
【図２】
2005347807.tif 000004
【図３】
2005347807.tif 000005
【図４】
2005347807.tif 000006
【図５】
2005347807.tif 000007